(57)【特許請求の範囲】
【請求項１】
本体動画の複数のフレームのうち、一部のフレームと対応する縮小フレームを含む第１の縮小動画と全部のフレームと対応する縮小フレームを含む第２の縮小動画を記憶する記憶手段と、
ユーザーの操作に応答して、一覧表示された前記複数の第１の縮小動画のうちいずれかを選択する選択手段と、
前記選択された第１の縮小動画に対応する本体動画に対する再生の開始指示を外部装置へ送信する送信手段と、
前記本体動画の再生位置を受信する受信手段と、
前記選択された第１の縮小動画に代えて、前記第２の縮小動画に切り換え制御し、前記第２の縮小動画のうち前記再生位置を再生する再生表示手段を備えたことを特徴とする情報処理装置。
【請求項２】
本体動画の複数のフレームのうち、一部のフレームと対応する縮小フレームを再生する第１の縮小動画を再生して表示する再生表示手段と、
ユーザーの操作に応答して、一覧表示された前記複数の第１の縮小動画のうちいずれかを選択する選択手段と、
前記選択された第１の縮小動画に対応する本体動画に対する再生の開始指示を外部装置へ送信する送信手段と、
前記本体動画の再生中のフレームに対し、縮小処理が実行された縮小フレームを順に受信する受信手段を備え、
前記再生表示手段は前記選択された第１の縮小動画に代えて、前記縮小フレームを再生して表示するよう切り換え制御することを特徴とする情報処理装置。
【請求項３】
本体動画の複数のフレームのうち、一部のフレームと対応する縮小フレームを含む第１の縮小動画と全部のフレームと対応する縮小フレームを含む第２の縮小動画を記憶するステップと、
ユーザーの操作に応答して、一覧表示された前記複数の第１の縮小動画のうちいずれかを選択するステップと、
前記選択された第１の縮小動画に対応する本体動画に対する再生の開始指示を外部装置へ送信するステップと、
前記本体動画の再生位置を受信するステップと、
前記選択された第１の縮小動画に代えて、前記第２の縮小動画に切り換え制御し、前記第２の縮小動画のうち前記再生位置を再生するステップを備えたことを特徴とする情報処理装置の制御方法。
【請求項４】
本体動画の複数のフレームのうち、一部のフレームと対応する縮小フレームを再生する第１の縮小動画を再生して表示するステップと、
ユーザーの操作に応答して、一覧表示された前記複数の第１の縮小動画のうちいずれかを選択するステップと、
前記選択された第１の縮小動画に対応する本体動画に対する再生の開始指示を外部装置へ送信するステップと、
前記本体動画の再生中のフレームに対し、縮小処理が実行された縮小フレームを順に受信するステップと、
前記選択された第１の縮小動画に代えて、前記縮小フレームを再生して表示するよう切り換え制御するステップを備えたことを特徴とする情報処理装置の制御方法。
【請求項５】
コンピュータに、
本体動画の複数のフレームのうち、一部のフレームと対応する縮小フレームを含む第１の縮小動画と全部のフレームと対応する縮小フレームを含む第２の縮小動画を記憶するステップと、
ユーザーの操作に応答して、一覧表示された前記複数の第１の縮小動画のうちいずれかを選択するステップと、
前記選択された第１の縮小動画に対応する本体動画に対する再生の開始指示を外部装置へ送信するステップと、
前記本体動画の再生位置を受信するステップと、
前記選択された第１の縮小動画に代えて、前記第２の縮小動画に切り換え制御し、前記第２の縮小動画のうち前記再生位置を再生するステップを実行させることを特徴とするプログラム。
【請求項６】
コンピュータに、
本体動画の複数のフレームのうち、一部のフレームと対応する縮小フレームを再生する第１の縮小動画を再生して表示するステップと、
ユーザーの操作に応答して、一覧表示された前記複数の第１の縮小動画のうちいずれかを選択するステップと、
前記選択された第１の縮小動画に対応する本体動画に対する再生の開始指示を外部装置へ送信するステップと、
前記本体動画の再生中のフレームに対し、縮小処理が実行された縮小フレームを順に受信するステップと、
前記選択された第１の縮小動画に代えて、前記縮小フレームを再生して表示するよう切り換え制御するステップを実行させることを特徴とするプログラム。
【発明の詳細な説明】
【技術分野】
【０００１】
外部装置で再生表示されたコンテンツを識別するための情報処理装置およびその制御方法およびプログラムに関する。
【背景技術】
【０００２】
従来、映像表示装置と通信して、その記録媒体に記録された複数のコンテンツの中から所望のコンテンツを選択し、再生を指示するリモコン装置がある（特許文献１参照）。
【先行技術文献】
【特許文献】
【０００３】
【特許文献１】特開２００３−０３２５０９号公報
【発明の概要】
【発明が解決しようとする課題】
【０００４】
これに対して、ユーザーの手元で、複数のコンテンツの一覧を表示させたり、現在、映像表示装置上で再生中のコンテンツをコンテンツ一覧において特定し易くできるようにすることで、ユーザビリティを向上させたいという要望がある。
【課題を解決するための手段】
【０００５】
上記課題を解決するために、本願に係る発明の一つは、情報処理装置であって、本体動画の複数のフレームのうち、一部のフレームと対応する縮小フレームを再生する第１の縮小動画を再生して表示する再生表示手段と、ユーザーの操作に応答して、一覧表示された前記複数の第１の縮小動画のうちいずれかを選択する選択手段と、前記選択された第１の縮小動画に対応する本体動画に対する再生の開始指示を外部装置へ送信する送信手段と、前記本体動画の再生中のフレームに対し、縮小処理が実行された縮小フレームを順に受信する受信手段と、前記選択された第１の縮小動画に代えて、前記縮小フレームを再生して表示するよう切り換え制御することを特徴とする。
【発明の効果】
【０００６】
本発明によれば、複数のコンテンツを一覧表示する際、当該一覧において映像表示装置上で再生中のコンテンツを未再生のコンテンツとは異なる態様で再生する。よって、ユーザーは映像表示装置上で再生中のコンテンツを一覧の中から特定し易くなり、ユーザビリティが向上するという効果が得られる。
【図面の簡単な説明】
【０００７】
【図１】本発明の一実施形態におけるデータ管理システムの構成の一例を示すブロック図である。
【図２】本発明の一実施形態におけるリモート制御装置の構成の一例を示すブロック図である。
【図３】本発明の一実施形態におけるコンテンツ管理装置の構成の一例を示すブロック図である。
【図４】本発明の一実施形態におけるサーバー装置の構成の一例を示すブロック図である。
【図５】本発明の一実施形態におけるコンテンツ一覧画面の一例を示す図である。
【図６】本発明の一実施形態におけるシステムの動作の一例を示すシーケンス図である。
【図７】本発明の一実施形態におけるコンテンツ一覧画面の一例を示す図である。
【図８】本発明の一実施形態におけるリモート制御装置の動作の一例を示すフローチャート図である。
【図９】本発明の一実施形態におけるリモート制御装置の動作の一例を示すフローチャート図である。
【図１０】本発明の一実施形態におけるシステムの動作の一例を示すシーケンス図である。
【図１１】本発明の一実施形態におけるシステムの動作の一例を示すシーケンス図である。
【発明を実施するための形態】
【０００８】
以下に、図面を参照して、この発明の好適な実施の形態を例示的に詳しく説明する。ただし、この実施形態に記載されている構成要素はあくまで例示であり、この発明の範囲をそれらのみに限定する趣旨のものではない。
【０００９】
（第１の実施形態）
本実施形態では、本発明におけるデータ管理装置を複数の機器からなるデータ管理システムとして実現する実施形態で示す。
【００１０】
本実施例のシステム構成について、図１のシステム図を参照して説明する。本システムは、リモート制御装置１０２、コンテンツ管理装置１０３、撮像装置（デジタルカメラ）１０１、大画面モニター１０７、アクセスポイント機能付きルータ１０５、インターネット１０６、サーバー装置１０４で構成される。利用者がデジタルカメラ１０１で撮影した静止画・動画からなるコンテンツは無線通信を介してコンテンツ管理装置１０３に送られる。コンテンツを受信したコンテンツ管理装置１０３はコンテンツに対してコンテンツ識別子を割り振り、オリジナルのコンテンツを蓄積する。その上で取り込んだコンテンツの縮小コンテンツを生成する。コンテンツが静止画像の場合は縦横サイズを縮小して縮小コンテンツを生成する。また、コンテンツが動画像の場合は、動画像の全フレームについて縦横サイズを縮小した全体縮小コンテンツと、動画像の先頭から所定時間のフレームなど、一部のフレームを抽出し、それらについて縦横サイズを縮小した部分縮小コンテンツの２種類を生成する。縮小コンテンツはアクセスポイント機能付きルータ１０５からインターネット１０６経由でコンテンツ識別子と併せてサーバー装置１０４に送信される。これによりオリジナルのコンテンツをコンテンツ管理装置１０３で、縮小コンテンツをサーバー装置１０４で共通のコンテンツ識別子の下で管理する。またサーバー装置１０４では受信した縮小コンテンツ毎に属性情報を生成する。属性情報とは評価値や削除対象か否かを示す情報などから成るコンテンツに対する補助情報である。本システムでは、コンテンツ管理装置１０３がオリジナルのコンテンツを蓄積し、サーバー装置１０４はオリジナルのコンテンツと対応する縮小コンテンツを蓄積し、縮小コンテンツは属性情報と関連づけられて利用者のコンテンツライブラリで管理される。なお、オリジナルのコンテンツおよび、それと対応する縮小コンテンツは、同じコンテンツ識別子に関連づけられて、コンテンツ管理装置１０３およびサーバー装置１０４それぞれで保存される。利用者が複数台のデジタルカメラ１０１を所有していれば、複数台のデジタルカメラ１０１で撮影され、生成されたコンテンツからなるコンテンツライブラリとなる。
【００１１】
利用者がコンテンツライブラリを活用する際、操作はリモート制御装置１０２上から行う。リモート制御装置１０２は、アクセスポイント機能付きルータ１０５からインターネット１０６経由でサーバー装置１０４と通信する。サーバー装置１０４にある縮小コンテンツや属性情報を取得し、リモート制御装置１０２上のモニターに表示することで、コンテンツライブラリにアクセスする環境を提供できる。リモート制御装置１０２がサーバー装置１０４に蓄積されている縮小コンテンツを利用する本システムでは、リモート制御装置１０２の処理能力が非力であっても軽快に処理を行える利点がある。
【００１２】
またリモート制御装置１０２のモニター２０８はタッチパネル機能を有している。利用者がモニター上で行った操作内容に従い、決められた制御コマンドをアクセスポイント機能付きルータ１０５からインターネット１０６経由でサーバー装置１０４に送信する。サーバー装置１０４は受信した制御コマンドに従う処理を実行するだけでなく、必要に応じてコンテンツ管理装置１０３に対して制御コマンドを中継する役割も担う。リモート制御装置１０２、コンテンツ管理装置１０３、サーバー装置１０４が連携することで、利用者にコンテンツライブラリを活用できる環境を提供する。
【００１３】
代表的なコンテンツライブラリの利用としては、所望のコンテンツをコンテンツ管理装置１０３に接続された大画面モニター１０７に表示して鑑賞する利用がある。利用者はリモート制御装置１０２上で縮小コンテンツを見ながら大画面モニター１０７に表示したいコンテンツを選択し、表示指示を実行する。表示指示を受けたリモート制御装置１０２から表示対象コンテンツのコンテンツ識別子を引数に持つ表示指示コマンドがサーバー装置１０４に送信され、サーバー装置１０４からコンテンツ管理装置１０３にコマンドが転送される。表示指示コマンドを受けたコンテンツ管理装置１０３は、蓄積しているコンテンツから該コンテンツ識別子を持つオリジナルのコンテンツを特定し、大画面モニター１０７に表示する。つまり利用者は、縮小コンテンツを使った軽快な操作性の下でリモート制御装置１０２から表示指示を出しながらも、実際の大画面モニター１０７上ではコンテンツ管理装置１０３のオリジナルのコンテンツを使い高品位な映像で鑑賞できる。
【００１４】
なお、以下、リモート制御装置１０２とコンテンツ管理装置１０３はサーバー装置１０４を介して、各種データやコマンドを送受信する場合について説明する。しかし、これに限らず、リモート制御装置１０２とコンテンツ管理装置１０３が直接、これらの情報を送受信するようにしてもよい。
【００１５】
本実施例のリモート制御装置１０２を構成するコンピュータ装置の構成について、図２のブロック図を参照して説明する。リモート制御装置１０２はそれぞれ単一のコンピュータ装置で実現してもよいし、必要に応じた複数のコンピュータ装置に各機能を分散して実現するようにしてもよい。複数のコンピュータ装置で構成される場合は、互いに通信可能なようにＬｏｃａｌ  Ａｒｅａ  Ｎｅｔｗｏｒｋ（ＬＡＮ）などで接続されている。リモート制御装置１０２は具体的には、例えば、タブレット端末などの情報処理装置によって実現される。
【００１６】
図２において、制御部２０１はリモート制御装置１０２全体を制御し、例えばＣｅｎｔｒａｌ  Ｐｒｏｃｅｓｓｉｎｇ  Ｕｎｉｔ（ＣＰＵ）である。Ｒｅａｄ  Ｏｎｌｙ  Ｍｅｍｏｒｙ（ＲＯＭ）２０２は書き換え可能な不揮発性メモリでＯｐｅｒａｔｉｎｇ  Ｓｙｓｔｅｍ（ＯＳ）などのプログラム、外部装置から供給されるプログラムを保持する。Ｒａｎｄｏｍ  Ａｃｃｅｓｓ  Ｍｅｍｏｒｙ（ＲＡＭ）２０３は揮発性メモリでプログラムやデータを一時記憶する。外部記憶装置２０４はリモート制御装置１０２に固定して設置されたハードディスクドライブ（ＨＤＤ）である。あるいは、外部記憶装置２０４はフラッシュメモリで構成されるソリッドステートドライブ（ＳＳＤ）、ハードディスクとフラッシュメモリを併用したハイブリッドドライブやメモリカードなどであってもよい。外部記憶装置２０４はサーバー装置１０４から取得した縮小コンテンツなどを記憶する。また、外部記憶装置２０４はＯＳや後述するコンテンツ管理アプリケーションプログラムなどのソフトウェアプログラムを記憶する。
【００１７】
Ｂｉｔ  Ｍｏｖｅ  Ｕｎｉｔ（ＢＭＵ）２０５は、例えばメモリ間（例えば、ＶＲＡＭ２０６と他のメモリとの間）や、メモリと各Ｉ／Ｏデバイス（例えば、ネットワークインターフェイス２０９）間のデータ転送を制御する。Ｖｉｄｅｏ  Ｒ  Ａ  Ｍ（ＶＲＡＭ）２０６は、表示装置（モニター）２０８に表示する為の画像を描画する。このＶＲＡＭ２０６に生成した画像を、所定の規定に従ってモニター２０８に送信し、これによりモニター２０８は画像を表示する。またモニター２０８はタッチセンサ２０７を有するタッチパネルである。なお、タッチパネルは、モニター２０８に重ね合わせて平面的に構成され、接触された位置に応じた座標情報が出力されるようにした入力デバイスである。制御部２０１はタッチパネルへの以下の操作を検出できる。タッチパネルを指やペンで触れたこと（以下、タッチダウンと称する）。タッチパネルを指やペンで触れている状態であること（以下、タッチオンと称する）。タッチパネルを指やペンで触れたまま移動していること（以下、ムーブと称する）。タッチパネルへ触れていた指やペンを離したこと（以下、タッチアップと称する）。タッチパネルに何も触れていない状態（以下、タッチオフと称する）。これらの操作や、タッチパネル上に指やペンが触れている位置座標は、制御部２０１に通知され、制御部２０１は通知された情報に基づいてタッチパネル上にどのような操作が行なわれたかを判定する。ムーブについてはタッチパネル上で移動する指やペンの移動方向についても、位置座標の変化に基づいて、タッチパネル上の垂直成分・水平成分毎に判定できる。またタッチパネル上をタッチダウンから所定の距離以上のムーブを経てタッチアップをしたとき、ドラッグを経てドロップが行われたこととする（ドラッグアンドドロップ）。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００１８】
無線ネットワークインターフェイス２０９は無線通信回線２１１に繋がることでアクセスポイント機能付きルータ１０５と通信する。システムバス２１０は２０１〜２０９の各ユニットを通信可能に接続する。
【００１９】
本実施例のコンテンツ管理装置１０３を構成するコンピュータ装置の構成について、図３のブロック図を参照して説明する。コンテンツ管理装置１０３はそれぞれ単一のコンピュータ装置で実現してもよいし、必要に応じた複数のコンピュータ装置に各機能を分散して実現するようにしてもよい。複数のコンピュータ装置で構成される場合は、互いに通信可能なようにＬｏｃａｌ  Ａｒｅａ  Ｎｅｔｗｏｒｋ（ＬＡＮ）などで接続されている。コンテンツ管理装置１０３は具体的には例えば、外付けハードディスクやレコーダーなどの大容量記憶装置によって実現される。
【００２０】
図３において、制御部３０１はコンテンツ管理装置１０３全体を制御し、例えばＣｅｎｔｒａｌ  Ｐｒｏｃｅｓｓｉｎｇ  Ｕｎｉｔ（ＣＰＵ）である。Ｒｅａｄ  Ｏｎｌｙ  Ｍｅｍｏｒｙ（ＲＯＭ）３０２は書き換え可能な不揮発性メモリでＯｐｅｒａｔｉｎｇ  Ｓｙｓｔｅｍ（ＯＳ）などのプログラム、外部装置から供給されるプログラムを保持する。Ｒａｎｄｏｍ  Ａｃｃｅｓｓ  Ｍｅｍｏｒｙ（ＲＡＭ）３０３は揮発性メモリでプログラムやデータを一時記憶する。外部記憶装置３０４はコンテンツ管理装置１０３に固定して設置されたハードディスクドライブ（ＨＤＤ）である。あるいは、外部記憶装置３０４はフラッシュメモリで構成されるソリッドステートドライブ（ＳＳＤ）、ハードディスクとフラッシュメモリを併用したハイブリッドドライブやメモリカードなどである。外部記憶装置３０４はデジタルカメラ１０１から取得したオリジナルのコンテンツを記憶する。
【００２１】
Ｂｉｔ  Ｍｏｖｅ  Ｕｎｉｔ（ＢＭＵ）３０５は、例えばメモリ間（例えば、ＶＲＡＭ３０６と他のメモリとの間）や、メモリと各Ｉ／Ｏデバイス（例えば、ネットワークインターフェイス３０７）間のデータ転送を制御する。Ｖｉｄｅｏ  Ｒ  Ａ  Ｍ（ＶＲＡＭ）３０６は、大画面モニター１０７に表示する為の画像を描画する。このＶＲＡＭ２０６に生成した画像を、所定の規定に従って大画面モニター１０７に送信し、これにより大画面モニター１０７に画像を表示する。
【００２２】
無線ネットワークインターフェイス３０７は無線ネットワーク回線３１０に繋がることで、アクセスポイント機能付きルータ１０５と通信し、無線ネットワーク回線３１０につながることでデジタルカメラ１０１と通信する。システムバス３０９は３０１〜３０７の各ユニットを通信可能に接続する。
【００２３】
本実施例のサーバー装置１０４を構成するコンピュータ装置の構成について、図４のブロック図を参照して説明する。サーバー装置１０４はそれぞれ単一のコンピュータ装置で実現してもよいし、必要に応じた複数のコンピュータ装置に各機能を分散して実現するようにしてもよい。複数のコンピュータ装置で構成される場合は、互いに通信可能なようにＬｏｃａｌ  Ａｒｅａ  Ｎｅｔｗｏｒｋ（ＬＡＮ）などで接続されている。サーバー装置１０４は具体的には例えば、クラウドサーバーなどの情報処理装置によって実現される。
【００２４】
図４において、制御部４０１はサーバー装置１０４全体を制御し、例えばＣｅｎｔｒａｌ  Ｐｒｏｃｅｓｓｉｎｇ  Ｕｎｉｔ（ＣＰＵ）である。Ｒｅａｄ  Ｏｎｌｙ  Ｍｅｍｏｒｙ（ＲＯＭ）４０２は書き換え可能な不揮発性メモリでＯｐｅｒａｔｉｎｇ  Ｓｙｓｔｅｍ（ＯＳ）などのプログラム、外部装置から供給されるプログラムを保持する。Ｒａｎｄｏｍ  Ａｃｃｅｓｓ  Ｍｅｍｏｒｙ（ＲＡＭ）４０３は揮発性メモリでプログラムやデータを一時記憶する。記憶部４０４はサーバー装置１０４に固定して設置されたハードディスクドライブ（ＨＤＤ）、フラッシュメモリで構成されるソリッドステートドライブ（ＳＳＤ）、ハードディスクとフラッシュメモリを併用したハイブリッドドライブやメモリカードなどである。記憶部４０４はコンテンツ管理装置１０３から送られている縮小コンテンツや、サーバー装置１０４で生成するコンテンツに対する評価値や削除対象か否かを示す情報などで構成される属性情報を記憶する。
【００２５】
Ｂｉｔ  Ｍｏｖｅ  Ｕｎｉｔ（ＢＭＵ）４０５は、例えばメモリ間（例えば、データベース部４０６と他のメモリとの間）や、メモリと各Ｉ／Ｏデバイス（例えば、有線ネットワークインターフェイス４０７）間のデータ転送を制御する。データベース部４０６は、記憶部４０４に記録されている縮小コンテンツやコンテンツの属性情報に対する検索性を向上させるための管理機能を持つ。所定の条件に従うコンテンツが記憶部４０４のどの領域に記録されているかを教えてくれる。
【００２６】
有線ネットワークインターフェイス４０７はネットワーク回線４０９に繋がることで、インターネット１０６と繋がっている。システムバス４０８は４０１〜４０８の各ユニットを通信可能に接続する。
【００２７】
図５（ａ）は、ユーザーの操作に応答して、リモート制御装置１０２の制御部２０１がコンテンツ管理アプリケーションプログラム（以下コンテンツ管理アプリと呼ぶ）を起動すると表示されるサムネイル一覧画面の一例である。制御部２０１は無線ネットワークインターフェイス２０９経由でサーバー装置１０４から縮小コンテンツとしてサムネイル画像を取得し、ＶＲＡＭ２０６に展開することでモニター２０８に一覧表示するよう表示制御する。サムネイル一覧画面５００はサーバー装置１０４やコンテンツ管理装置１０３で管理されているコンテンツライブラリに対する制御を操作するためのＧＵＩである。サムネイル表示領域５０１には、サーバー装置１０４から取得されたサムネイル画像が撮影日時順に並べて表示される。また、図５（ｂ）は、サムネイル一覧画面５００を用いてコンテンツ管理装置１０３が保持するオリジナルコンテンツをモニター１０７で表示し、再生する操作を説明するための図である。ユーザーの指示部材５０４が、再生したいサムネイル画像にタッチオンしたまま、サムネイル一覧画面５００の時間軸と交差する方向の上向きにムーブ操作をして所定の位置まで移動させる。制御部２０１がこのような操作を検知すると、当該サムネイル画像の識別子と画像再生コマンドがサーバー装置１０４経由でコンテンツ管理装置１０３へ送信される。なお、図５（ｂ）において上方向へのムーブ操作が検知されると、再生対象のサムネイル画像以外をグレイアウトしたり、再生対象のサムネイル画像が所定の位置に達すると、画面外に出て行くようなアニメーション効果を施すようにしてもよい。これにより、ユーザーは操作が検知されていることを認識することができる。また、画像再生コマンドの送信が完了すると、制御部２０１はサムネイル一覧画面を図５（ａ）に示すような表示態様に戻す。
【００２８】
本実施形態のシステムにおいて、オリジナルコンテンツとして動画像の再生処理を実行する動作を図６のシーケンス図を参照して説明する。なお、以下の動作は、リモート制御装置１０２の制御部２０１が、ＯＳや所定のアプリケーションプログラムを実行し、それにしたがってリモート制御装置１０２の各部を制御することにより実現される。また、サーバー装置１０４の制御部４０１が、ＯＳや所定のアプリケーションプログラムを実行し、それにしたがってサーバー装置１０４の各部を制御することにより実現される。また、コンテンツ管理装置１０３の制御部３０１がＯＳや所定のアプリケーションプログラムを実行し、それにしたがってコンテンツ管理装置１０３の各部を制御することにより実現される。また、リモート制御装置１０２とサーバー装置１０４間、サーバー装置１０４とコンテンツ管理装置１０３間の通信はＨＴＴＰに従う通信規格に従い行われる。
【００２９】
リモート制御装置１０２は、上述したようにサムネイル一覧画面５００上でサムネイル画像に対するムーブ操作を検知する（Ｓ６０１）。これに応答して、リモート制御装置１０２は当該サムネイル画像のコンテンツ識別子および、当該サムネイル画像と対応する動画像の再生開始を指示するための再生開始指示コマンドをサーバー装置１０４に送信する（Ｓ６０２）。サーバー装置１０４はコンテンツ識別子および再生開始指示コマンドを受付けると、これらを当該コンテンツ識別子と対応する動画像を保持するコンテンツ管理装置１０３へ送信する（Ｓ６０３）。コンテンツ管理装置１０３はコンテンツ識別子および再生開始指示コマンドを受信すると、当該コンテンツ識別子と関連付けられた動画像を外部記憶装置３０４から読み出す。そして、読み出された動画像を復号化し、ＶＲＡＭ３０６に展開してモニター１０７へ送信することで、動画像が大画面モニター１０７上で表示され再生されるように制御する（Ｓ６０４）。コンテンツ管理装置１０３は大画面モニター１０７上での動画像の再生状態を監視し、コンテンツ識別子と再生状態をサーバー装置１０４へ定期的に通知する（Ｓ６０５）。サーバー装置１０４はコンテンツ識別子と再生状態を受信すると、再生状態の変化の有無を判定し、変化があれば、コンテンツ識別子と再生状態をリモート制御装置１０２へ通知する（Ｓ６０６）。リモート制御装置１０２は受信されたコンテンツ識別子と対応するサムネイル画像の近傍に、再生状態と対応するアイコンを表示するよう表示制御する（Ｓ６０７）。図７（ａ）に示すように、再生停止ボタン７１０がアイコンとして、サムネイル画像７０１に重畳して表示される。なお、ステップＳ６０４乃至Ｓ６０６の処理は動画像の終端のフレームが再生されるまで、または後述の再生停止が指示されるまで順に各フレームに対して繰り返される。なお、動画像の終端のフレームが再生されると、次の動画像を自動的に選択し、再生するようにしてもよい。この場合、次の動画像に対してステップＳ６０４乃至Ｓ６０６の処理が繰り返される。
【００３０】
リモート制御装置１０２は、ユーザー操作に応答して、再生停止ボタン７１０へのタッチオンを検知する（Ｓ６０８）。これに応答して、再生停止ボタン７１０が重畳されているサムネイル画像７０１のコンテンツ識別子と、当該サムネイル画像と対応する動画像の再生停止を指示するための再生停止指示コマンドをサーバー装置１０４に送信する（Ｓ６０９）。サーバー装置１０４はコンテンツ識別子と再生停止指示コマンドを受信すると、再生停止指示コマンドを、当該コンテンツ識別子と関連付けられた動画像を保持するコンテンツ管理装置１０３へ送信する（Ｓ６１０）。なお、大画面モニター１０７が１つの動画像しか再生しない場合は、ステップＳ６１０ではコンテンツ識別子をコンテンツ管理装置１０３へ送信しなくてよい。
【００３１】
再生停止指示コマンドを受信すると、コンテンツ管理装置１０３は再生中の動画像の復号化を停止し、ＶＲＡＭを初期化するとともに、大画面モニター１０７が動画像の再生を開始する前の表示態様になるように制御する。コンテンツ管理装置１０３は大画面モニター１０７上での動画像の再生状態の監視結果として、動画像の再生が停止されたことをサーバー装置１０４へ通知すると（Ｓ６１２）、サーバー装置１０４はその通知をリモート制御装置１０２へ転送する（Ｓ６１３）。リモート制御装置は、動画像の再生が停止された通知を受信すると、再生停止ボタン７１０を非表示にする。
【００３２】
リモート制御装置１０２において、再生停止ボタン７１０がサムネイル一覧画面５００に表示されているときに、ユーザー操作に応答してサムネイル表示領域５０１の時間軸方向のムーブ操作が検知されたときの動作を図８のフローチャート図を参照して説明する。なお、以下の動作は、リモート制御装置１０２の制御部２０１が、ＯＳや所定のアプリケーションプログラムを実行し、それにしたがってリモート制御装置１０２の各部を制御することにより実現される。
【００３３】
制御部２０１は、ユーザー操作に応答してサムネイル表示領域５０１の時間軸方向のムーブ操作を検知すると（Ｓ８０１）、サムネイル表示領域５０１の表示対象となる時間範囲を変更する（Ｓ８０２）。そして、制御部２０１は大型モニターで再生中の動画像と対応するサムネイル画像が変更後の時間範囲に含まれるか否かを判定する（Ｓ８０３）。含まれる場合は（Ｓ８０３でＹｅｓ）、変更後の時間範囲に含まれる撮影時間と関連付けられたサムネイル画像を外部記憶装置２０４から読み出す。そして、新たに読み出されたサムネイル画像をサムネイル表示領域５０１に表示すると共に、再生中の動画像と対応するサムネイル画像に再生停止ボタンを重畳して表示する（Ｓ８０４）。
【００３４】
一方、含まれない場合は（Ｓ８０３でＮｏ）、変更後の時間範囲に含まれる撮影時間と関連付けられたサムネイル画像を外部記憶装置２０４から読み出す。そして、図７（ｂ）に示すように、新たに読み出されたサムネイル画像をサムネイル表示領域５０１に表示すると共に、再生停止ボタン７２０を所定の位置に表示する（Ｓ８０５）。
【００３５】
なお、サムネイル一覧画面７００での表示更新を滑らかに行うために、制御部２０１は、変更後の時間範囲よりも広い時間範囲に含まれる撮影時間と対応するサムネイル画像を含むサムネイル一覧の描画面をＲＡＭ２０３に描画しておく。そして、ムーブ操作の移動量に応じて、描画面をずらしてＢＭＵ２０５にてＶＲＡＭ２０６へ転送する。
【００３６】
なお、上記では再生停止ボタンをサムネイル画像の近傍に表示する一例として、重畳して表示するように説明したが、サムネイル画像に隣接して表示するようにしてもよい。
【００３７】
また、再生中の動画像と対応するサムネイル画像は他のサムネイル画像と識別可能であればよく、所定の色の枠や所定の幅の枠でサムネイル画像を囲んで表示してもよい。この場合、サムネイル画像自身にタッチオンが検知されれば、再生停止指示ボタンと同様にして、再生停止コマンドを送信する。
【００３８】
また、リモート制御装置１０２において、再生停止ボタン７１０がサムネイル一覧画面５００に表示されているときに、ユーザー操作に応答してサムネイル表示領域５０１の時間軸方向のムーブ操作が検知されたときの動作は別の形態であってもよい。図９のフローチャート図を参照して説明する。なお、以下の動作は、リモート制御装置１０２の制御部２０１が、ＯＳや所定のアプリケーションプログラムを実行し、それにしたがってリモート制御装置１０２の各部を制御することにより実現される。上述のステップＳ８０１〜Ｓ８０３が実行された後、再生中の動画像と対応するサムネイル画像の撮影時間が変更後の時間範囲に含まれない場合は（Ｓ８０３でＮｏ）、図７（ｃ）に示すように表示範囲変更ボタン７３０を所定の位置に表示する（Ｓ９０１）。表示範囲変更ボタン７３０が押下されるまでは、変更後の時間範囲に含まれる撮影時間と関連付けられたサムネイル画像を外部記憶装置２０４から読み出し、サムネイル表示領域５０１に表示する。
【００３９】
制御部２０１はユーザーの操作に応答して、表示範囲変更ボタン７３０の押下操作を検知すると（Ｓ９０２）、サムネイル表示領域５０１の時間範囲が再生中の動画像の撮影時間を含むように変更する（Ｓ９０３）。そして、ステップＳ８０４と同様に、変更後の時間範囲に含まれる撮影時間と関連付けられたサムネイル画像を外部記憶装置２０４から読み出す。そして、新たに読み出されたサムネイル画像をサムネイル表示領域５０１に表示すると共に、再生中の動画像と対応するサムネイル画像に再生停止ボタンを重畳して表示する。
【００４０】
（第２の実施形態）
本実施形態では、大画面モニター１０７上で動画像が再生され、それと対応してリモート制御装置１０２のサムネイル一覧画面上でサムネイル画像も再生される場合について説明する。
【００４１】
本実施形態のシステムにおいて、オリジナルコンテンツ（本体コンテンツ）として動画像（本体動画）の再生処理を実行する動作を図１０のシーケンス図を参照して説明する。なお、以下の動作は、リモート制御装置１０２の制御部２０１が、ＯＳや所定のアプリケーションプログラムを実行し、それにしたがってリモート制御装置１０２の各部を制御することにより実現される。また、コンテンツ管理装置１０３の制御部３０１がＯＳや所定のアプリケーションプログラムを実行し、それにしたがってコンテンツ管理装置１０３の各部を制御することにより実現される。また、リモート制御装置１０２とコンテンツ管理装置１０３はアクセスポイント機能付きルータ１０５を経由して各種制御コマンドを送受信する。
【００４２】
リモート制御装置１０２は、上述したようにサムネイル一覧画面５００上で動画像と対応するサムネイル画像に対する、時間軸に交差する方向の上向きのムーブ操作を検知する（Ｓ１００１）。ここで、動画像と対応するサムネイル画像は、動画像に含まれるすべてのフレームのうち一部のフレームが抽出され、縮小処理された縮小動画である。そして、サムネイル一覧画面５００上で、縮小画像が繰り返し再生されて表示されている。これにより、表示用のサムネイル画像を一時的に記憶するために消費するＲＡＭ２０３または外部記憶装置２０４の記憶容量の負荷を軽減することができる。
【００４３】
ムーブ操作の検知に応答して、リモート制御装置１０２は当該サムネイル画像のコンテンツ識別子および、当該サムネイル画像と対応する動画像の再生開始を指示するための再生開始指示コマンドをコンテンツ管理装置１０３に送信する（Ｓ１００２）。コンテンツ管理装置１０３はコンテンツ識別子および再生開始指示コマンドを受信する。これに応答して、当該コンテンツ識別子と関連付けられた動画像を外部記憶装置３０４から読み出して復号化し、ＶＲＡＭ３０６に展開してモニター１０７へ送信することで、動画像が大画面モニター１０７上で表示されるように制御する（Ｓ１００３）。そして、コンテンツ管理装置１０３は、コンテンツ識別子とともに動画像の再生開始をリモート制御装置１０２に通知する（Ｓ１００４）。これに応答して、リモート制御装置１０２は受信されたコンテンツ識別子と対応するサムネイル画像を所定の表示態様で表示するよう表示制御する（Ｓ１００５）。
【００４４】
コンテンツ管理装置１０３は外部記憶装置３０４から読み出された動画像をフレーム画像毎に２経路に分岐し、一方の経路では、フレーム画像に対して復号化処理を実行してＶＲＡＭ３０６に展開してモニター１０７へ送信する（Ｓ１００６）。そして、もう一方の経路では、フレーム画像に縮小処理を実行し、無線ネットワークインターフェイス３０７を介してリモート制御装置１０２へ送信する（Ｓ１００７）。リモート制御装置１０２はフレーム画像を受信すると、復号化してＶＲＡＭ２０６に展開し、サムネイル一覧画面５００の該当するサムネイル画像の表示を更新する（Ｓ１００８）。このようにして、大画面モニター１０７上で再生され、表示されているシーンと同じシーンがリモート制御装置のモニター２０８上でも表示される。
【００４５】
なお、ステップＳ１００６乃至Ｓ１００８の処理は動画像の終端のフレームが再生されるまで、または後述の再生停止が指示されるまで順に各フレームに対して繰り返される。なお、動画像の終端のフレームが再生されると、次の動画像を自動的に選択し、再生するようにしてもよい。この場合、次の動画像に対してステップＳ１００４およびＳ１００５の処理が実行された後、ステップＳ１００６乃至Ｓ１００８の処理が繰り返される。
【００４６】
リモート制御装置１０２は、ユーザー操作に応答して、再生停止指示コマンドをコンテンツ管理装置１０３に送信する（Ｓ１００９）。コンテンツ管理装置１０３は上述のステップＳ１００７乃至Ｓ１００８の処理を中止し（Ｓ１０１０）、その旨をリモート制御装置１０２へ通知する（Ｓ１０１１）。リモート制御装置１０２はステップＳ１００５で表示されたアイコンを非表示にする（Ｓ１０１２）。
【００４７】
なお、リモート制御装置１０２は、本体動画の一部のフレームと対応する縮小フレームを含む部分縮小動画だけでなく、本体動画の全部のフレームと対応する縮小フレームを含む全編縮小動画も記憶していてもよい。このような場合の本システムの動作について図１１のシーケンス図を参照して説明する。まず、ステップＳ１００１乃至Ｓ１００５の処理が実行される。ここで、サムネイル画像として部分縮小動画が再生表示されている。そして、リモート制御装置１０２は、ステップＳ１００４の通知に応答して、コンテンツ識別子と対応するサムネイル画像を、部分縮小動画から全編縮小動画に切り換える（Ｓ１１０１）。コンテンツ管理装置１０３は、大画面モニター１０７で再生されているフレームと対応する再生位置をリモート制御装置１０２に通知する（Ｓ１１０２）。リモート制御装置１０２は全編縮小動画のうち、通知された再生位置と対応する位置を再生して表示する（Ｓ１１０３）。
【００４８】
また、上述のように、リモート制御装置１０２において、大画面モニター１０７上で動画像が再生され、それと対応してサムネイル画像も再生されているときも、ユーザー操作に応答してサムネイル表示領域５０１の時間軸方向のムーブ操作を検知可能である。時間軸方向のムーブ操作を検知すると、サムネイル一覧画面に表示される時間範囲が変更されるので、大画面モニター１０７上で再生中の動画像と対応するサムネイル画像が表示対象ではなくなる場合がある。このようなときも、リモート制御装置１０２は縮小フレーム画像の受信を継続するが、復号化や表示処理は停止する。これにより、制御部２０１やＢＭＵ２０５の処理負荷を軽減することができる。そして、さらに時間範囲が変更されて、当該サムネイル画像が再び、表示対象になれば、復号化や表示処理を再開する。これにより、表示が停止されていた期間にかかわらず、大画面モニター１０７上で再生されているフレームと対応する縮小フレームがリモート制御装置１０２のモニター２０８に表示されることとなる。
【００４９】
上のようにして、映像再生装置（大画面モニター１０７）上で再生されている本体動画と同じ位置のフレーム画像がリモート制御装置１０２のモニター２０８に表示される。これにより、ユーザーは、サムネイル一覧画面に表示された複数のサムネイル画像の中から、大画面モニター１０７上で再生中の本体画像と対応するサムネイル画像を認識し易くなる。
【００５０】
（他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
0006501665.tif 000002
【図２】
0006501665.tif 000003
【図３】
0006501665.tif 000004
【図４】
0006501665.tif 000005
【図５】
0006501665.tif 000006
【図６】
0006501665.tif 000007
【図７】
0006501665.tif 000008
【図８】
0006501665.tif 000009
【図９】
0006501665.tif 000010
【図１０】
0006501665.tif 000011
【図１１】
0006501665.tif 000012